【事件の表示】
　特許第３２１９２６４号「ミストオイル組成物」の請求項１ないし７に係る特許に対する特許異議の申立てについて、次のとおり決定する。
【結　論】
　訂正を認める。
　特許第３２１９２６４号の請求項１ないし７に係る特許を維持する。
【理　由】
１．手続の経緯
　
　特許第３２１９２６４号の請求項１〜７に係る発明の出願は、平成８年８月２６日（優先権主張　平成７年９月７日）に特許出願され、平成１３年８月１０日にその特許権の設定登録がなされ、その後、佐藤義光、日石三菱株式会社より特許異議の申立てがなされ、取消しの理由が通知され、その指定期間内である平成１５年５月６日に訂正請求がなされたものである。
　
２．訂正の適否についての判断
　
（１）訂正の内容
　
　特許権者が求めている訂正の内容は、訂正請求書に添付した訂正明細書のとおりに訂正すること、即ち、以下の訂正事項ａ〜ｅのとおりである。
　
　訂正事項ａ
　特許請求の範囲の請求項１及び２のそれぞれにおいて、「基油に対し、」を「鉱油からなる基油に対し、」と訂正する。
　
　訂正事項ｂ
　特許請求の範囲の請求項３において、「組成物全量に基づき、」の前に、「基油に対し、（Ａ）重量平均分子量１２００００〜１００００００の高分子量ポリマーと、（Ｂ）重量平均分子量１０００〜１０００００の低分子量ポリマーとを配合した組成物、又は、該組成物に、さらに、（Ｃ）（イ）極圧剤及び油性剤の中から選ばれた少なくとも一種及び／又は（ロ）防錆剤とを配合した組成物であるとともに、」を追加し、また、「請求項１又は２記載の」を「ことを特徴とする」と訂正する。
　
　訂正事項ｃ
　特許請求の範囲の請求項６において、「基油が、（ａ）」の前に、「基油に対し、（Ａ）重量平均分子量１２００００〜１００００００の高分子量ポリマーと、（Ｂ）重量平均分子量１０００〜１０００００の低分子量ポリマーとを配合した組成物、又は、該組成物に、さらに、（Ｃ）（イ）極圧剤及び油性剤の中から選ばれた少なくとも一種及び／又は（ロ）防錆剤とを配合した組成物であって、かつ前記」を追加し、また、「請求項１〜５のいずれかに記載の」を「ことを特徴とする」と訂正する。
　
　訂正事項ｄ
　特許明細書の段落【0005】において、「本発明は、基油に対し、」を「本発明は、鉱油からなる基油に対し、」と訂正し、また同段落において、「及び上記（Ａ）」を「鉱油からなる基油に対し、上記（Ａ）」と訂正する。
　　　
　訂正事項ｅ
　特許明細書の段落【0005】において、「ミストオイル組成物を提供するものである。」を、「ミストオイル組成物、基油に対し、上記（Ａ）成分の高分子量ポリマーと、（Ｂ）成分の低分子量ポリマーとを配合した組成物、又は該組成物に、さらに、上記（Ｃ）成分とを配合した組成物であるとともに、組成物全量に基づき、（Ａ）成分である高分子量ポリマーの配合量が０．０１〜２．５重量％であり、かつ（Ｂ）成分である低分子量ポリマーの配合量が０．０１〜６重量％であることを特徴とするミストオイル組成物、及び基油に対し、上記（Ａ）成分の高分子量ポリマーと、（Ｂ）成分の低分子量ポリマーとを配合した組成物、又は該組成物に、さらに、上記（Ｃ）成分とを配合した組成物であり、かつ該基油が、（ａ）数平均分子量６００以上の基油６０〜９０重量％と（ｂ）数平均分子量５５０以下の基油４０〜１０重量％との混合物であることを特徴とするミストオイル組成物を提供するものである。」と訂正する。
　
（２）訂正の目的の適否、新規事項の有無及び拡張・変更の存否
　
　上記訂正事項ａは、特許請求の範囲の請求項１及び２に記載された「基油」を、より下位概念である「鉱油からなる基油」に限定するものであるから、特許請求の範囲の減縮を目的とする明細書の訂正に該当するものであって、これは特許明細書の段落【0006】に「これらの中で、パラフィン基系鉱油，中間基系鉱油，ナフテン基系鉱油などの鉱油が、得られるミストオイル組成物の性能などの点から好適である。」と記載されているから、新規事項の追加に該当せず、実質上特許請求の範囲を拡張し、又は変更するものではない。
　
　上記訂正事項ｂは、請求項３の訂正に係るものであるが、訂正前の請求項３が請求項１又は２を引用していたものであるところ、請求項１及び２が上記訂正事項ａにより訂正されたためにこれらを引用することができなくなり、したがって、請求項３の表現形式を引用形式から独立形式に変えて記載したものであるから、明りょうでない記載の釈明を目的とする明細書の訂正に該当するものであって、新規事項の追加に該当せず、また、実質上特許請求の範囲を拡張し、又は変更するものではない。
　
　上記訂正事項ｃは、請求項６の訂正に係るものであるが、訂正前の請求項６が請求項１〜５のいずれかの請求項を引用していたものであるところ、請求項１及び２が上記訂正事項ａにより、また請求項３が上記訂正事項ｂにより訂正されたためにこれらを引用することができなくなり、したがって、請求項６の表現形式を引用形式から独立形式に変えて記載したものであるから、明りょうでない記載の釈明を目的とする明細書の訂正に該当するものであって、新規事項の追加に該当せず、また、実質上特許請求の範囲を拡張し、又は変更するものではない。
　
　上記訂正事項ｄは、上記訂正事項ａによる特許請求の範囲の請求項１及び２の訂正に伴い、特許請求の範囲の記載と発明の詳細な説明の記載との整合性を図るための訂正であるから、明りょうでない記載の釈明を目的とする明細書の訂正に該当するものであって、新規事項の追加に該当せず、また、実質上特許請求の範囲を拡張し、又は変更するものではない。
　
　上記訂正事項ｅは、上記訂正事項ｂによる特許請求の範囲の請求項３の訂正、及び上記訂正事項ｃによる特許請求の範囲の請求項６の訂正に伴い、特許請求の範囲の記載と発明の詳細な説明の記載との整合性を図るための訂正であるから、明りょうでない記載の釈明を目的とする明細書の訂正に該当するものであって、新規事項の追加に該当せず、また、実質上特許請求の範囲を拡張し、又は変更するものではない。
　
　以上のとおりであるから、上記訂正は、特許法第１２０条の４第２項及び同条第３項において準用する特許法第１２６条第２項及び第３項の規定に適合するので、当該訂正を認める。
　
３．特許異議申立てについての判断
　
（１）申立ての理由の概要　
　
　特許異議申立人佐藤義光（以下、「異議１」という。）は、甲第１、２号証を提出し、（ｉ）訂正前の本件請求項１〜４に係る発明は、甲第１、２号証に記載された発明に基いて当業者が容易に発明をすることができ、また、（ii）訂正前の本件請求項１〜５に係る発明は、甲第２号証に記載された発明に基いて当業者が容易に発明をすることができたものであるから、これらの請求項に係る発明は特許法第２９条第２項の規定により特許を受けることができず、訂正前の本件請求項１〜５に係る発明についての特許は取り消されるべきである旨、
　また、特許異議申立人日石三菱株式会社（以下、「異議２」という。）は、甲第１〜４号証を提出し、甲第３〜４号証を参照すれば、（ｉ）訂正前の本件請求項１〜６に係る発明は甲第１号証に記載された発明であり、（ii）訂正前の本件請求項１、２、４、５に係る発明は甲第２号証に記載された発明であるから、これらの請求項に係る発明は、特許法第２９条第１項第３号に規定する発明に該当し、特許を受けることができず、また、（iii）訂正前の本件請求項１〜７に係る発明は甲第１号証に記載された発明に基いて当業者が容易に発明をすることができたものであり、（iv）訂正前の本件請求項１、２、４、５に係る発明は甲第２号証に記載された発明に基いて当業者が容易に発明をすることができたものであるから、これらの請求項に係る発明は特許法第２９条第２項の規定により特許を受けることができず、訂正前の本件請求項１〜７に係る発明についての特許は取り消されるべきである旨、
主張している。
　
　特許異議申立人の提出した甲号各証は、以下のとおりである。
　異議１の提出した、
　　　甲第１号証：特開昭５２−１３５０４号公報
　　　　　　　　　　（以下、「刊行物５」という。）
　　　甲第２号証：米国特許第３８５５１３５号明細書
　　　　　　　　　　（以下、「刊行物１」という。）
　異議２の提出した、
　　　甲第１号証：米国特許第３８５５１３５号明細書
　　　　　　　（特許異議申立人佐藤義光の提出した甲第２号証に同じ。
　　　　　　　　　　　同様に、以下、「刊行物１」という。）
　　　甲第２号証：特開昭６１−２９６０９１号公報
　　　　　　　　　　（以下、「刊行物２」という。）
　　　甲第３号証：桜井俊男編著「新版　石油製品添加剤」、
　　　　　　　　　株式会社幸書房、
　　　　　　　　　昭和61年7月25日初版1刷発行、第３５２〜３５７頁
　　　　　　　　　　（以下、「刊行物３」という。）
　　　甲第４号証：「ANNUAL BOOK OF ASTM STANDARDS 2001」、
　　　　　　　　　SECTION FIVE、
　　　　　　　　　Petroleum Products, Lubricants, and Fossil Fuels、
　　　　　　　　　VOLUME 05.01、第８６７〜８７０頁
　　　　　　　　　　（以下、「刊行物４」という。）
　
　なお、当審が通知した取消しの理由は、訂正前の本件請求項１〜６に係る発明は刊行物１に記載された発明であり、訂正前の本件請求項１、２、４、５に係る発明は刊行物２に記載された発明であるから、これらの請求項に係る発明は、特許法第２９条第１項第３号に規定する発明に該当し、特許を受けることができず、訂正前の本件請求項１〜６に係る発明についての特許は取り消されるべきである、というものである。
　
（２）本件の請求項に係る発明
　
　上記２．（２）で示したように上記訂正が認められるから、本件の請求項１〜７に係る発明（以下、「本件発明１〜７」という。）は、上記訂正請求に係る訂正明細書の特許請求の範囲の請求項１〜７に記載された事項により特定される、次のとおりのものである。
　
「【請求項１】 鉱油からなる基油に対し、（Ａ）重量平均分子量１２００００〜１００００００の高分子量ポリマーと、（Ｂ）重量平均分子量１０００〜１０００００の低分子量ポリマーとを配合したことを特徴とするミストオイル組成物。
【請求項２】 鉱油からなる基油に対し、（Ａ）重量平均分子量１２００００〜１００００００の高分子量ポリマーと、（Ｂ）重量平均分子量１０００〜１０００００の低分子量ポリマーと、（Ｃ）（イ）極圧剤及び油性剤の中から選ばれた少なくとも一種及び／又は（ロ）防錆剤とを配合したことを特徴とするミストオイル組成物。
【請求項３】 基油に対し、（Ａ）重量平均分子量１２００００〜１００００００の高分子量ポリマーと、（Ｂ）重量平均分子量１０００〜１０００００の低分子量ポリマーとを配合した組成物、又は、該組成物に、さらに、（Ｃ）（イ）極圧剤及び油性剤の中から選ばれた少なくとも一種及び／又は（ロ）防錆剤とを配合した組成物であるとともに、組成物全量に基づき、（Ａ）成分である高分子量ポリマーの配合量が0.０１〜2.５重量％であり、かつ（Ｂ）成分である低分子量ポリマーの配合量が0.０１〜６重量％であることを特徴とするミストオイル組成物。
【請求項４】 （Ａ）成分である高分子量ポリマーと（Ｂ）成分である低分子量ポリマーとの配合割合が、重量比で１：0.０１〜１：６００である請求項１又は２記載のミストオイル組成物。
【請求項５】 （Ａ）成分である高分子量ポリマーと（Ｂ）成分である低分子量ポリマーとの配合割合が、それぞれの重量平均分子量と配合量（重量％）との積の比で１：１〜６００：１である請求項１又は２記載のミストオイル組成物。
【請求項６】 基油に対し、（Ａ）重量平均分子量１２００００〜１００００００の高分子量ポリマーと、（Ｂ）重量平均分子量１０００〜１０００００の低分子量ポリマーとを配合した組成物、又は該組成物に、さらに、（Ｃ）（イ）極圧剤及び油性剤の中から選ばれた少なくとも一種及び／又は（ロ）防錆剤とを配合した組成物であって、かつ前記基油が、(a) 数平均分子量６００以上の基油６０〜９０重量％と(b) 数平均分子量５５０以下の基油４０〜１０重量％との混合物であることを特徴とするミストオイル組成物。
【請求項７】 基油が、(a) 数平均分子量６００以上の基油６０〜９０重量％と(b) 数平均分子量４５０以下の基油４０〜１０重量％との混合物である請求項１〜５のいずれかに記載のミストオイル組成物。」
　
（３）刊行物に記載された事項
　
　刊行物１（米国特許第３８５５１３５号明細書：異議１の提出した甲第２号証、異議２の提出した甲第１号証）には、添付された抄訳を参考にすると、「本発明の一つの態様は、
　ａ．１００°Ｆにおいて１００〜３０００の範囲内のＳＵＳ粘度を有する鉱油系潤滑油と、ポリスチレンポリオレフィン、ポリスチレン、ポリアクリレートターポリマー、ポリメタクリレートターポリマー、分散型ポリアクリレート、分散型ポリメタクリレート又はそれらポリマー添加剤の２種以上の混合物から選ばれる有効量のポリマー添加剤との混合物をエアロゾルに変える工程であって、前記ポリマー添加剤が１０，０００〜２，０００，０００の範囲内の粘度平均分子量を有し、前記有効量は、Norgren　Microfog試験装置において油温１００°Ｆで試験したときのストレーフォグが１０（より好ましくは８）ｇ／時間以下であり且つ再分級量が０．６オンス／時間・１００ベアリングインチ以上となるストレーフォグを発生させるのに充分なものである工程、
　ｂ．潤滑領域に前記エアロゾルを空気の作用により導く工程、及び
　ｃ．前記潤滑領域内で（好ましくは前記添加剤の不在下で合体させるときよりも多量に）エアロゾルの油滴を合体させることによって前記エアロゾルを再分級する工程
を含む潤滑プロセスである。」旨（第２欄３行〜第３欄９行参照）、記載され、また、実施例Ｉに、「１００°Ｆで２０３０のＳＵＳ粘度を有するミスト潤滑剤は以下のように処方された：・・・溶剤精製パラフィン系潤滑油２２％；・・・パラフィン系ブライトストック７５．７８％；”Vanlube　71”（ジアミルジチオカルバミン酸鉛）１．７２％；”Acryloid　162”（アクリル酸ポリマー、一般的に流動点降下剤として用いられる）　０．０２％；”Acryloid　966S”（分散型であり、平均分子量が約1,000,000、ポリマー固形分が約２６重量％のポリメタクリレートターポリマー）。試験に用いたミスト潤滑剤は優れた再分級特性を有しており、その試験によりアクリル系分散ポリマーがミストオイルの添加剤として有利であることが示された。・・・基油の組み合わせの好ましい一つは、ＳＡＥ２０及び３０モーターオイルのブレンドである。」旨（第７欄６１行〜第８欄８行参照）、記載されている。
　
　刊行物２（特開昭６１−２９６０９１号公報：異議２の提出した甲第２号証）には、ミスト潤滑剤組成物について記載され、より具体的には、「(1)特定の、ポリオールエステル、トリメリテートエステル、重合脂肪酸エステル、より成る群からえらばれた４０℃における粘度１５乃至３００センチストークスをもつ合成エステル４５乃至９５重量部；(2)１００％重合体基準で、平均分子量４，０００乃至１０，０００をもつポリイソブチレン８乃至４０重量部；および(3)１００％重合体基準で、平均分子量２５，０００乃至３００，０００をもつポリイソブチレン０．１乃至１重量部；より成る組成物でありかつ上記組成物の４０℃における粘度が１２５乃至７５０センチストークスである、ミスト潤滑用に適する潤滑剤組成物」（特許請求の範囲第１項参照）について記載され、「本発明の潤滑剤組成物は特殊合成エステルを比較的低分子量の第１ポリイソブチレン重合体および上記第１ポリイソブチレンよりも著しく高平均分子量をもつ第２ポリイソブチレン重合体と混合してえられる」旨（第５頁左上欄２〜７行）、「本発明のミスト油組成物によって油ミストの有効量が容易に生成されしかもよい油ミスト分布、即ち少量の散失ミストと中途凝集となる」旨（第６頁右上欄下から１行〜左下欄７行）、「最終ミスト油調合物には普通１又は２以上の添加剤が含まれている。普通に用いられる代表的添加剤は酸化防止剤、等がある」旨（第９頁左下欄１行〜第１０頁左上欄下から２行）、記載されている。
　
　刊行物３（桜井俊男編著「新版　石油製品添加剤」、株式会社幸書房、昭和61年7月25日初版1刷発行、第３５２〜３５７頁：異議２の提出した甲第３号証）には、「7.3　流動点降下剤の種類と構造」なる箇所に「分子量は数千から数万のものがほとんどである。」（第３５６頁７行）と、記載されている。
　
　刊行物４（「ANNUAL BOOK OF ASTM STANDARDS 2001」、SECTION FIVE、Petroleum Products, Lubricants, and Fossil Fuels、VOLUME 05.01、第８６７〜８７０頁：異議２の提出した甲第４号証）には、「粘度測定からの石油の分子量（相対分子質量）の見積もりのための標準試験方法」について記載されている。
　
　刊行物５（特開昭５２−１３５０４号公報：異議１の提出した甲第１号証）には、低毒性ミスト潤滑組成物について記載され、より具体的には、「流動パラフィンにポリブテンおよびポリイソブチレンの一種又は二種の０．１〜１０ｗｔ％、油性向上剤の０．５〜１０ｗｔ％、防錆添加剤の０．５〜１０ｗｔ％、および酸化防止剤の０．１〜１．５ｗｔ％からなる低毒性ミスト潤滑組成物」（特許請求の範囲第１項参照）について記載され、「そこで、本発明者らは、毒性が少く、かつ、潤滑性も良好なミスト潤滑油を開発すべく、・・・からなるミスト潤滑組成物は潤滑部におけるミスト発散も少なく、潤滑性も良好であることを見い出し本発明を完成した。」旨（第２頁左上欄１〜１１行）、「ポリイソブチレンおよびポリブテンは分子量１，０００〜１００，０００が望ましい。油性向上剤には、・・・が例示でき、防錆添加剤には、・・・等が挙げられ、さらに酸化防止剤としては・・・があげられる。」旨（第２頁左上欄１６行〜右上欄８行）、記載されている。
　
（４）対比・判断
　
（４−１）特許法第２９条第１項について
　
　本件発明１と刊行物１との対比
　
　刊行物１には、「鉱油系潤滑油とポリスチレンポリオレフィン、ポリスチレン、ポリアクリレートターポリマー、ポリメタクリレートターポリマー、分散型ポリアクリレート、分散型ポリメタクリレート又はそれらポリマー添加剤の２種以上の混合物から選ばれる有効量のポリマー添加剤との混合物をエアロゾルに変える工程であって、前記ポリマー添加剤は１０，０００〜２，０００，０００の範囲内の粘度平均分子量を有する」旨、記載されており、その実施例である実施例Ｉには、「溶剤精製パラフィン系潤滑油　２２％；パラフィン系ブライトストック　７５．７８％；「Vanlube　71」　１．７２％；「Acryloid　162」（アクリル酸ポリマー、一般的に流動点降下剤として用いられる）　０．０２％；「Acryloid　966S」（分散型であり、平均分子量が約1,000,000、ポリマー固形分が約２６重量％のポリメタクリレートターポリマー）」、からなるミスト潤滑剤が記載されている。
　ここで、「パラフィン系潤滑油」は、「鉱油からなる基油」と認められ、「Acryloid　162」も「Acryloid　966S」もアクリル酸系ポリマーであるから、本件発明１と刊行物１に記載された発明とは、「鉱油からなる基油に、２種類のポリマーを配合したミストオイル組成物」である点で一致するものの、該２種類のポリマーとして、本件発明１においては、「（Ａ）重量平均分子量１２００００〜１００００００の高分子量ポリマーと、（Ｂ）重量平均分子量１０００〜１０００００の低分子量ポリマー」をその構成としているのに対し、刊行物１に記載された発明においては、「Acryloid　162」と「Acryloid　966S」を用いる点で、一応相違している。
　そこで、刊行物１に記載された「Acryloid　162」と「Acryloid　966S」が、本件発明１における（Ａ）重量平均分子量１２００００〜１００００００の高分子量ポリマーと、（Ｂ）重量平均分子量１０００〜１０００００の低分子量ポリマーに相当するものであるか否かを検討する。
　
（ｉ）「Acryloid　966S」について、刊行物１の実施例Ｉには、「分散型であり、平均分子量が約１，０００，０００、ポリマー固形分が約２６重量％のポリメタクリレートターポリマー」と説明されている。ここで「平均分子量」とは、同刊行物１の、「前記ポリマー添加剤が１０，０００〜２，０００，０００の範囲の粘度平均分子量を有し」という記載からすると、粘度平均分子量を意味しているものと認められ、一方、本件発明１においては、（Ａ）、（Ｂ）のポリマーを重量平均分子量で規定しているのであるから、これらの数値を直接比較することはできない。そこで、ポリマーにおける「重量平均分子量」と「粘度平均分子量」の関係をみるに、例えば次の文献にこれらの平均分子量に関する記載がある。
（文献１）中島章夫他著「高分子の分子物性（上）」、株式会社化学同人、1969年7月15日第１版第１刷発行、第６８、９５〜９６頁の、「3-6-3　平均分子量の大小関係について」なる箇所には、重量平均分子量をＭｗ、粘度平均分子量をＭｖとしたとき（第６８頁）、Ｍｖ≦Ｍｗの関係になること（第９６頁）が記載されている。
（文献２）本件出願前に頒布されたものではないが、長倉三郎他編「岩波　理化学辞典　第５版」、株式会社岩波書店、1998年4月24日第5版第2刷発行、第１２３８頁の「平均分子量」の項目には、数平均分子量をＭｎ、重量平均分子量をＭｗ、粘度平均分子量をＭｖとすると、Ｍｎ＜Ｍｗであること、ＭｖはＭｗとＭｎの中間の値をとることが、記載され、これから、Ｍｖ＜Ｍｗであることがわかる。
　このように、当業界における最も一般的な文献である、上記文献１、文献２の記載から、一般にＭｖ＜Ｍｗと認められるところ、「Acryloid　966S」は粘度平均分子量即ちＭｖ＝１，０００，０００なのであるから、「Acryloid　966S」の重量平均分子量であるＭｗは１，０００，０００を超えるものと認められ、一方、本件発明１の（Ａ）成分である高分子量ポリマーの重量平均分子量は１，０００，０００以下なのであるから、本件発明１の（Ａ）成分である高分子量ポリマーと「Acryloid　966S」とが同一である、とすることはできない。
　
（ii）「Acryloid　162」について、刊行物１の実施例Ｉには、「アクリル酸ポリマー、一般的に流動点降下剤として用いられる」と説明されているところ、刊行物３の第３５６頁の「7.3　流動点降下剤の種類と構造」なる箇所に「分子量は数千から数万のものがほとんどである。」と記載されているが、同じ文献の第３６３頁には、「市販流動点降下剤の分子量分布を図−７に示す。」と説明され、「図−７」に、分子量１０３，０００のものが示され、これは「分子量数千から数万」の範囲外であるのであるから、流動点降下剤の分子量は数千から数万のものがほとんどであるとされるものの、すべての流動点降下剤の分子量がこの範囲であると断定することはできない。したがって、「Acryloid　162」の分子量が「数千から数万のもの」であると断定することはできず、本件発明１の（Ｂ）成分である低分子量ポリマーと「Acryloid　162」とが同一である、とすることはできない。
　
　そうしてみると、刊行物１に記載された「Acryloid　966S」が本件発明１の（Ａ）成分である高分子量ポリマーと同一であるとすることはできず、かつ、刊行物１に記載された「Acryloid　162」が本件発明１の（Ｂ）成分である低分子量ポリマーと同一であるとすることもできないのであるから、依然として、前記の相違点は存在しており、本件発明１は、刊行物１に記載された発明ではない。
　
　本件発明２〜６と刊行物１との対比
　
　本件発明２〜６も、「（Ａ）重量平均分子量１２００００〜１００００００の高分子量ポリマーと、（Ｂ）重量平均分子量１０００〜１０００００の低分子量ポリマー」をその構成としているから、本件発明１と同様の理由により、刊行物１に記載された発明ではない。
　
　本件発明１、２、４、５と刊行物２との対比
　
　刊行物２に記載された発明は、合成エステルを基油としているところ、本件発明１、２は「鉱油からなる基油」を用いているので、この点で明らかに刊行物２に記載された発明と本件発明１、２とは相違する。また、本件発明４、５は、本件発明１又は２を引用しているから、本件発明１、２と同様に「鉱油からなる基油」を用いている点で、明らかに刊行物２に記載された発明と本件発明４、５とは相違する。
　したがって、本件発明１、２、４、５は刊行物２に記載された発明ではない。
　
（４−２）特許法第２９条第２項について
　
　本件発明１〜７と刊行物１〜５との対比
　
　刊行物１〜５には、本件発明１〜７の構成である「（Ａ）重量平均分子量１２００００〜１００００００の高分子量ポリマーと、（Ｂ）重量平均分子量１０００〜１０００００の低分子量ポリマーとを有するミストオイル組成物」については記載も示唆もされていない。そして、本件発明１は、特定の分子量を有する高分子量ポリマー（Ａ）と、特定の分子量を有する低分子量ポリマー（Ｂ）とを配合することにより、明細書に記載されるように、「潤滑部分には充分なオイルの到達量（回収量）があり、かつストレーミストが少なく、噴霧給油用オイルとして、工作機械などの歯車や軸受けなどの潤滑に好適に用いられる。」（本件特許明細書の段落【0022】参照）という優れた効果を奏するものと認められる。
　したがって、本件発明１〜７は、刊行物１〜５に記載された発明に基いて当業者が容易に発明をすることができたものではない。
　
（５）結論
　
　以上のとおりであるから、本件発明１〜６が刊行物１に記載された発明であるとも、本件発明１、２、４、５が刊行物２に記載された発明であるとも認められず、かつ、本件発明１〜７が刊行物１〜５に記載された発明に基いて当業者が容易に発明をすることができたものであるとも認められない。
　したがって、本件発明１〜７についての特許は、特許法第２９条第１項または第２項の規定に違反してされたものではない。
　
４．むすび
　
　以上のとおりであるから、特許異議申立ての理由及び証拠によっては、本件発明１〜７についての特許を取り消すことはできない。
　また、他に本件発明１〜７についての特許を取り消すべき理由を発見しない。
　よって、結論のとおり決定する。
【異議決定日】
平成１６年２月６日（２００４．２．６）
【訂正の要旨】
審決（決定）の【理由】欄参照。
（５４）【発明の名称】
ミストオイル組成物
（５７）【特許請求の範囲】
　【請求項１】　
鉱油からなる
　【請求項２】　
鉱油からなる
　【請求項３】　
基油に対し、（Ａ）重量平均分子量１２００００〜１００００００の高分子量ポリマーと、（Ｂ）重量平均分子量１０００〜１０００００の低分子量ポリマーとを配合した組成物、又は、該組成物に、さらに、（Ｃ）（イ）極圧剤及び油性剤の中から選ばれた少なくとも一種及び／又は（ロ）防錆剤とを配合した組成物であるとともに、
ことを特徴とする
　【請求項４】　（Ａ）成分である高分子量ポリマーと（Ｂ）成分である低分子量ポリマーとの配合割合が、重量比で１：０．０１〜１：６００である請求項１又は２記載のミストオイル組成物。
　【請求項５】　（Ａ）成分である高分子量ポリマーと（Ｂ）成分である低分子量ポリマーとの配合割合が、それぞれの重量平均分子量と配合量（重量％）との積の比で１：１〜６００：１である請求項１又は２記載のミストオイル組成物。
　【請求項６】　
基油に対し、（Ａ）重量平均分子量１２００００〜１００００００の高分子量ポリマーと、（Ｂ）重量平均分子量１０００〜１０００００の低分子量ポリマーとを配合した組成物、又は該組成物に、さらに、（Ｃ）（イ）極圧剤及び油性剤の中から選ばれた少なくとも一種及び／又は（ロ）防錆剤とを配合した組成物であって、かつ前記
ことを特徴とする
　【請求項７】　基油が、（ａ）数平均分子量６００以上の基油６０〜９０重量％と（ｂ）数平均分子量４５０以下の基油４０〜１０重量％との混合物である請求項１〜５のいずれかに記載のミストオイル組成物。
【発明の詳細な説明】
　【０００１】
　【発明の属する技術分野】
　本発明は、ミストオイル組成物に関し、さらに詳しくは、潤滑部分には充分なオイルの到達量があり、かつ飛散ミスト（ストレーミスト）が少なく、噴霧給油用オイルとして好適なミストオイル組成物に関するものである。
　【０００２】
　【従来の技術】
　潤滑油の給油法としては、種々の方法が知られているが、その中の一つの方法として噴霧給油法がある。この噴霧給油法は、噴霧給油器により少量の油を霧化し、形成した油霧を圧縮気流に乗せて、軸受その他の給油部に運び、潤滑は油霧により、冷却は圧縮空気により行う方法である。この噴霧給油法に使用される潤滑油はミストオイルと呼ばれる。
　このような噴霧給油法においては、ストレーミストの発生は免れず、環境汚染をもたらすという問題がある。したがって、近年、工場内の環境改善のために、このストレーミストの削減が要望されている。一方、潤滑部分の焼付け防止のためには、その潤滑部分において、充分なオイルの到達量（回収量）が必要である。
　ストレーミストを削減するには、ミストオイルに配合する高分子量ポリマーの量を増加するのが有効であることが知られているが、この高分子量ポリマーの配合量を増やすと、潤滑部分へのオイルの到達量（回収量）が減少するという問題が生じる。このようなことから、これまでのミストオイルは、高分子量ポリマーの配合量を調整して、充分なオイル到達量（回収量）を確保したものが主であり、ストレーミストが多いという欠点があった。
　【０００３】
　【発明が解決しようとする課題】
　本発明は、このような状況下で、潤滑部分に充分なオイルの到達量（回収量）があり、かつストレーミストが少なく、噴霧給油用オイルとして好適なミストオイル組成物を提供することを目的とするものである。
　【０００４】
　【課題を解決するための手段】
　本発明者らは、前記の好ましい性質を有するミストオイル組成物を開発すべく鋭意研究を重ねた結果、基油に対し、特定の分子量を有する高分子量ポリマーと低分子量ポリマーとを配合したもの、あるいはさらに、極圧剤や油性剤及び／又は防錆剤を配合したものが、その目的に適合しうることを見出した。本発明は、かかる知見に基づいて完成したものである。
　【０００５】
　すなわち、本発明は、
鉱油からなる
鉱油からなる基油に対し、
、基油に対し、上記（Ａ）成分の高分子量ポリマーと、（Ｂ）成分の低分子量ポリマーとを配合した組成物、又は該組成物に、さらに、上記（Ｃ）成分とを配合した組成物であるとともに、組成物全量に基づき、（Ａ）成分である高分子量ポリマーの配合量が０．０１〜２．５重量％であり、かつ（Ｂ）成分である低分子量ポリマーの配合量が０．０１〜６重量％であることを特徴とするミストオイル組成物、及び基油に対し、上記（Ａ）成分の高分子量ポリマーと、（Ｂ）成分の低分子量ポリマーとを配合した組成物、又は該組成物に、さらに、上記（Ｃ）成分とを配合した組成物であり、かつ該基油が、（ａ）数平均分子量６００以上の基油６０〜９０重量％と（ｂ）数平均分子量５５０以下の基油４０〜１０重量％との混合物であることを特徴とするミストオイル組成物
　本発明のミストオイル組成物において用いられる基油については特に制限はないが、通常、４０℃における動粘度が１０〜８００ｍｍ２／ｓｅｃ、好ましくは２０〜７００ｍｍ２／ｓｅｃの範囲にある鉱油又は合成油あるいはそれらの混合物が用いられる。
　【０００６】
　【発明の実施の形態】
　上記鉱油としては、例えば溶剤精製や水添（水素化）精製などの通常の精製法により得られたパラフィン基系鉱油，中間基系鉱油，ナフテン基系鉱油などが挙げられる。また、合成油としては、例えばポリオールエステル，二塩基酸エステル，リン酸エステルなどのエステル類、ポリフェニルエーテルなどのエーテル類、アルキルベンゼン、アルキルナフタレンなどが挙げられる。これらの中で、パラフィン基系鉱油，中間基系鉱油，ナフテン基系鉱油などの鉱油が、得られるミストオイル組成物の性能などの点から好適である。
　さらに、この基油は、ミスト発生量を増加し、かつストレーミストを減少させる点から、分子量分布の広いものが好ましい。このような基油は、例えば粘度の異なる二種以上の鉱油を混合して所望の粘度に調整するなどの方法により、得ることができる。
　特に、潤滑部分への到達量（回収量）を多く維持するとともに、作業環境を悪化させるストレーミストを大幅に減少させるために、基油として、（ａ）数平均分子量６００以上の基油６０〜９０重量％と（ｂ）数平均分子量５５０以下の基油４０〜１０重量％との混合物を用いることが効果的である。この（ａ）数平均分子量６００以上の基油（基油（ａ））としては、数平均分子量６００〜１０００のもの（特に鉱油、具体的にはパラフィン基系鉱油など）が好適である。また、（ｂ）数平均分子量５５０以下の基油（基油（ｂ））としては、数平均分子量４５０以下、特に４５０〜２００のもの（特に鉱油、具体的にはパラフィン基系鉱油など）が好適である。また、基油（ａ）と基油（ｂ）の混合割合については、好ましくは基油（ａ）６０〜８０重量％と基油（ｂ）４０〜２０重量％である。
　【０００７】
　本発明の組成物における（Ａ）成分の高分子量ポリマーとしては、重量平均分子量が１２００００〜１００００００の範囲にあるものが用いられる。この重量平均分子量が１２００００未満ではストレーミストの削減効果が充分に発揮されず、また、１００００００を超えると基油への溶解性が低下する。ストレーミストの削減効果及び基油への溶解性などの点から、好ましい重量平均分子量は１２００００〜７５００００の範囲であり、特に１２００００〜６０００００の範囲が好適である。
　この高分子量ポリマーとしては、例えばポリメタクリレートやポリアクリレートなどのアクリル酸エステル系重合体、ポリイソブチレンやポリブテンあるいはそれらの水素化物，エチレン−α−オレフィン共重合体などのオレフィン系重合体、さらにはスチレン−イソプレン共重合体などが挙げられるが、これらの中で、ストレーミストの削減効果などの点から、アクリル酸エステル系重合体が好適である。
　【０００８】
　本発明においては、この（Ａ）成分の高分子量ポリマーは一種用いてもよく、二種以上を組み合わせて用いてもよい。また、その配合量は、特に制限はなく、各種の状況に応じて適宜選定すればよいが、通常は組成物全量に基づき、０．０１〜２．５重量％の範囲で選ばれる。この量が０．０１重量％未満ではストレーミストの削減効果が充分に発揮されないことがあり、また２．５重量％を超えるとミストの発生量や回収量が極端に減少する傾向がみられる。ストレーミストの削減効果及びミストの発生量や回収量の減少を抑制するなどの点から、好ましい配合量は０．０１〜１．０重量％の範囲であり、特に０．０１〜０．５重量％の範囲が好適である。
　【０００９】
　次に、本発明の組成物における（Ｂ）成分の低分子量ポリマーとしては、重量平均分子量が１０００〜１０００００の範囲にあるものが用いられる。この重量平均分子量が上記範囲を逸脱すると本発明の効果が充分に発揮されない。本発明の効果をより良く発揮させるには、この低分子量ポリマーの重量平均分子量は、２０００〜９００００の範囲が好ましい。
　この低分子量ポリマーとしては、例えばポリメタクリレートやポリアクリレートなどのアクリル酸エステル系重合体、エチレン−α−オレフィン（特にプロピレン）共重合体，ポリイソブチレンやポリブテンあるいはそれらの水素化物，他のポリ−α−オレフィン，スチレン−イソプレン共重合体などが挙げられるが、ミストの発生量や回収量などの点から、これらの中で特にアクリル酸エステル系重合体，エチレン−α−オレフィン共重合体及びポリイソブチレンもしくはポリブテンあるいはそれらの水素化物が好適である。
　【００１０】
　本発明においては、この（Ｂ）成分の低分子量ポリマーは一種用いてもよく、二種以上を組み合わせて用いてもよい。また、その配合量は、特に制限はなく、各種の状況に応じて適宜選定すればよいが、通常は組成物全量に基づき、０．０１〜６重量％の範囲で選ばれる。この量が０．０１重量％未満ではミストの発生量や回収量が充分ではなく、また６重量％を超えるとストレーミストが増加したり、ミストオイルとしてのその他の性能が損なわれるおそれがある。ミストの発生量や回収量，ストレーミストの削減及びミストオイルのその他の性能などのバランスの面から、好ましい配合量は０．５〜３．５重量％の範囲が好適である。
　【００１１】
　さらに、本発明の組成物においては、上記（Ａ）成分の高分子量ポリマーと（Ｂ）成分の低分子量ポリマーとの配合割合は、重量比で１：０．０１〜１：６００の範囲にあるのが望ましい。（Ｂ）成分の割合が上記範囲より少ないとミストの発生量や回収量が低下し、好ましくなく、逆に上記範囲より多いとストレーミストが増加するおそれがある。ミストの発生量や回収量及びストレーミストの削減などの点から、（Ａ）成分と（Ｂ）成分の好ましい配合割合は１：０．０５〜１：５００の範囲であり、特に１：０．１〜１：４００の範囲が好適である。
　また、この（Ａ）成分と（Ｂ）成分の配合割合を、各ポリマーの重量平均分子量と配合量（重量％）との積で考えると、それぞれの積の比が１：１〜６００：１の範囲にあるのが好ましい。（Ａ）成分の積の割合が上記範囲より少ないとストレーミストが増加するおそれがあり、好ましくなく、逆に上記範囲より多いとミストの発生量や回収量が低下するおそれがあり、好ましくない。ストレーミストの削減及びミストの発生量や回収量などの点から、（Ａ）成分の積と（Ｂ）成分の積との好ましい比は２：１〜２５０：１の範囲であり、特に２：１〜１００：１の範囲が好適である。本発明の組成物では、潤滑部分に充分なオイルの到達量を確保するために、回収量として少なくとも４００ｇ、好ましくは４５０ｇ以上得られることが望ましい。
　【００１２】
　本発明の組成物においては、必要に応じ、（Ｃ）成分として、（イ）極圧剤及び油性剤の中から選ばれた少なくとも一種及び／又は（ロ）防錆剤を配合することができる。上記（イ）成分の極圧剤や油性剤は、潤滑部分の歯車や軸受けなどの摩耗、焼付きなどを防止するための添加剤である。この極圧剤や油性剤の種類については特に制限はなく、従来ミストオイルに慣用されているものの中から任意のものを選択して用いることができる。このようなものとしては、例えば硫化オレフィン，リン酸エステルアミン塩，ポリサルファイド，ジチオリン酸亜鉛（ＺｎＤＴＰ）などが好ましく挙げられる。
　これらの（イ）成分の極圧剤や油性剤は一種用いてもよく、二種以上を組み合わせて用いてもよい。また、その配合量は、摩耗や焼付きなどの防止効果，ミストオイルのその他の性能及び経済性などのバランスの面から、組成物全量に基づき、０．１〜５０重量％の範囲が好ましく、特に１〜１０重量％の範囲が好適である。
　【００１３】
　一方、（ロ）成分の防錆剤は、潤滑部分の歯車や軸受けなどの錆，腐食などを防止するための添加剤である。この防錆剤の種類については特に制限はなく、従来ミストオイルに慣用されているものの中から任意のものを選択して用いることができる。このようなものとしては、例えばベンゾトリアゾール，アルケニルコハク酸イミド，アルケニルコハク酸エステルなどが好ましく挙げられる。
　これらの（ロ）成分の防錆剤は一種用いてもよく、二種以上を組合わせて用いてもよい。また、その配合量は、錆や腐食などの防止効果，ミストオイルのその他の性能及び経済性などのバランス面から、組成物全量に基づき、０．０１〜１０重量％の範囲が好ましく、特に０．０１〜２重量％の範囲が好適である。
　本発明のミストオイル組成物には、本発明の目的が損なわれない範囲で、所望に応じ、前記各成分以外の添加剤、例えば酸化防止剤，無灰系分散剤，金属系清浄剤，界面活性剤，消泡剤などを適宜添加することができる。
　【００１４】
　ここで、酸化防止剤としては、例えば、アルキル化ジフェニルアミン，フェニル−α−ナフチルアミン，アルキル化−α−ナフチルアミンなどのアミン系酸化防止剤、２，６−ジ−ｔ−ブチル−４−メチルフェノール；４，４’−メチレンビス（２，６−ジ−ｔ−ブチルフェノール）；４，４’−ビス（２，６−ジ−ｔ−ブチルフェノール）；４，４’−ビス（２−メチル−６−ｔ−ブチルフェノール）；２，２’−メチレンビス（４−エチル−６−ｔ−ブチルフェノール）；２，２’−メチレンビス（４−メチル−６−ｔ−ブチルフェノール）；４，４’−ブチリデンビス（３−メチル−６−ｔ−ブチルフェノール）；４，４’−チオビス（２−メチル−６−ｔ−ブチルフェノール）；４，４’−チオビス（３−メチル−６−ｔ−ブチルフェノール）；２，２’−チオビス（４−メチル−６−ｔ−ブチルフェノール）などのフェノール系酸化防止剤などが挙げられる。これらは、通常組成物全量に基づき０．０５〜２重量％の割合で添加される。
　無灰系分散剤としては、例えばコハク酸イミド系，コハク酸アミド系，ベンジルアミン系あるいはそれらの硼素誘導体、エステル系のものなどが挙げられ、金属系清浄剤としては、例えばカルシウムスルホネート，マグネシウムスルホネート，バリウムスルホネート，カルシウムフェネート，バリウムフェネートなどが挙げられる。
　また、界面活性剤としては、例えばポリオキシエチレンアルキルフェニルエーテルなどが挙げられ、消泡剤としては、例えばジメチルポリシロキサンなどが挙げられる。
　【００１５】
　【実施例】
　次に、本発明を実施例によりさらに詳しく説明するが、本発明は、これらの例によってなんら限定されるものではない。
　なお、ミストオイル組成物の性能を次に示す試験方法に従って求めた。
＜試験方法＞
　試験装置として、アレマイト社製４．３ＣＦＭ型を、ノズルとしてスプレーノズル型３２６３７０−８（８穴タイプ）２個を使用し、図１に示す装置にて、ミスト圧力：５５０ｍｍＨ２Ｏ，油温度：３８℃，エアー次圧力：３．２ｋｇ／ｃｍ２，エア温度：８０℃，配管内径：３／４インチ，試験時間：２０時間の条件で、ミスト化試験を行った。
（１）ミスト発生量
　試験前後のミスト発生装置１の油量減少分を計測し、ミスト発生量とした。
（２）回収量
　タンク２の試験前後の重量増加分を計測し、回収量とした。
（３）ストレーミスト量
　Ａ〜Ｂ間に設置した密閉容器（図示せず）の試験前後の油量増加分を計測し、これを配管内凝集量とし、次式よりストレーミスト量を算出した。
　　ストレーミスト量＝ミスト発生量−（配管内凝集量＋回収量）
実施例１〜５及び比例例１〜４
　第１表に示す配合割合でミストオイル組成物を調製し、その性能を評価した。結果を第１表に示す。
　【００１６】
　【表１】
　【００１７】
　【表２】
　【００１８】
〔注〕
　　１）パラフィン系基油：４０℃での動粘度が４３０ｍｍ２／ｓｅｃになるように二種類の粘度の異なるパラフィン系鉱油を混合したもの
　　２）ポリイソブチレン：重量平均分子量１０００００
　　３）ポリメタクリレート：重量平均分子量８４０００
　　４）ポリイソブチレン：重量平均分子量９０００
　　５）エチレン−プロピレン共重合体：重量平均分子量２３００
　　６）ポリメタクリレート：重量平均分子量２３００００
　　７）ポリメタクリレート：重量平均分子量１４００００
　　８）ポリメタクリレート：重量平均分子量５９００００
　以上の結果からわかるように、一般にはポリマーの添加により、▲１▼ミスト発生量や▲２▼回収量は減少するが、本発明のように特定の高分子量ポリマーと低分子量ポリマーとを組合せ使用することにより、▲１▼ミスト発生量や▲２▼回収量を維持したまま、▲３▼ストレーミスト量を減少させることができる。
　【００１９】
実施例６及び７
　第２表に示す配合割合でミストオイル組成物を調製し、その性能を評価した。結果を第２表に示す。
　【００２０】
　【表３】
　【００２１】
〔注〕
　　ａ）ポリメタクリレート：重量平均分子量２３００００
　　ｂ）エチレン−プロピレン共重合体：重量平均分子量２３００
　【００２２】
　【発明の効果】
　本発明のミストオイル組成物は、潤滑部分には充分なオイルの到達量（回収量）があり、かつストレーミストが少なく、噴霧給油用オイルとして、工作機械などの歯車や軸受けなどの潤滑に好適に用いられる。
【図面の簡単な説明】
　【図１】
　図１は、ミストオイル組成物の性能を評価するために用いた試験装置の説明図である。
　【符号の説明】
　１：ミスト発生装置
　２：ミスト回収タンク
　３：スプレーノズル
　４：潤滑部分となる機械部品